(57)【要約】【課題】  携帯情報端末におけるコンテンツ等の閲覧に際し、複雑な操作をする必要がなく、情報配信者からユーザに対して詳細な情報を確実且つ効率的に伝達することを可能とした情報配信システム及びその情報配信方法を提供する。【解決手段】  携帯情報端末９に配信される配信ファイルを格納する配信ファイル格納サーバ１１と、配信ファイルの配信対象である携帯情報端末９を特定するためのコマンドを電子メールとして格納するコマンドメールサーバ１０と、配信された配信ファイルを閲覧する携帯情報端末９とを有する情報配信システムを構成する。本システムにおいて、上記コマンドメールサーバ１０が、携帯情報端末９へ電子メールを送信し、該携帯情報端末９は、受信した電子メールのコマンド情報を基に、電子メールが自分宛のものと判断した場合は、配信ファイル格納サーバ１１からコマンド情報により指定された配信ファイルを取得し、この配信ファイルの情報を表示器Ｄ１及び／又は音声出力装置であるスピーカＳ１へ出力する。【選択図】  図１
2006040234.tif 000002
【特許請求の範囲】
【請求項１】
情報配信者により携帯情報端末に配信される配信ファイルを格納する配信ファイル格納サーバと、
前記配信ファイルの配信対象である前記携帯情報端末を特定するためのコマンドを電子メールとして格納するためのコマンドメールサーバと、
前記情報配信者から配信される配信ファイルを閲覧するための携帯情報端末と、
を備えた情報配信システムであって、
前記コマンドメールサーバは、前記携帯情報端末へ前記電子メールを送信し、
前記携帯情報端末は、受信した前記電子メールのコマンド情報を基に、該電子メールが自分宛のものであると判断した場合は、前記配信ファイル格納サーバから前記コマンド情報により指定された配信ファイルを取得し、該取得された配信ファイルの情報を出力することを特徴とする情報配信システム。
【請求項２】
前記携帯情報端末は、
前記携帯情報端末を無線ＬＡＮ、インターネット等のネットワークに接続するネットワーク接続部と、
前記コマンドメールサーバに対して、一定時間毎にアクセスを行い、前記電子メールが格納されていれば、該電子メールを受信するコマンドメール取得部と、
前記受信した電子メールの有するコマンドを解析し、コマンド情報に示される配信ファイルのアドレス情報を基に、指定された配信ファイルの取得要求をするコマンド解析部と、
前記指定された配信ファイルの取得要求を受けて、前記配信ファイル格納サーバから、前記指定された配信ファイルをダウンロードする配信ファイル取得部と、
前記ダウンロードされた配信ファイルの拡張子を参照し、該拡張子に対応するアプリケーションプログラムを起動させ、該アプリケーションプログラムへ該配信ファイルを引き渡す配信ファイル実行形式選択部と、
前記アプリケーションプログラムに引き渡された配信ファイルを、前記アプリケーションプログラムにより実行する配信ファイル実行部と、
前記配信ファイル実行部により前記配信ファイルがアプリケーションプログラムにより実行された結果を基に、ディスプレイ上に表示すべき情報がある場合には、該ディスプレイ表示情報を表示器に表示するための制御を行う表示制御部と、
前記表示制御部により制御され、前記該ディスプレイ表示情報を表示する表示器と、
前記配信ファイル実行部により前記配信ファイルがアプリケーションプログラムにより実行された結果を基に、音声として出力すべき情報がある場合には、該音声出力情報をスピーカ等の音声出力装置に出力するための音声出力制御部と、
前記音声出力制御部により制御され、前記音声出力情報を出力するスピーカ等の音声出力装置と、
を備えたことを特徴とする請求項１記載の情報配信システム。
【請求項３】
前記電子メールの有するコマンドは、少なくとも配信ファイルのアドレス情報、配信ファイルの出力方法、及び、前記携帯情報端末を特定するためのパスワードに関する情報とからなるコマンド情報を有し、
前記携帯情報端末は、前記コマンド解析部より前記コマンドを解析し、該コマンドの有する前記パスワードと、自己に割り当てられたパスワードとを照合し、一致した場合は、前記電子メールが自分宛のものであると判断することを特徴とする請求項１又は２に記載の情報配信システム。
【請求項４】
前記表示器及び前記音声出力装置を有する外部出力装置を設け、
前記外部出力装置を制御するための外部出力装置制御部を、前記携帯情報端末に設け、
前記携帯情報端末からのコマンド送信により、前記外部出力装置の制御を行うことを特徴とする請求項１から３のいずれか１項に記載の情報配信システム。
【請求項５】
前記携帯情報端末において、前記配信ファイル実行部が起動すると同時に、前記スピーカ等の音声出力装置を鳴動させるための鳴動部を設けたことを特徴とする請求項１から４のいずれか１項に記載の情報配信システム。
【請求項６】
前記携帯情報端末において、前記ネットワーク接続部の代わりに、前記電子メール受信用の第１のネットワーク接続部と、配信ファイル受信用の第２のネットワーク接続部とを設けたことを特徴とする請求項１から５のいずれか１項に記載の情報配信システム。
【請求項７】
前記携帯情報端末において、前記ネットワーク接続部、又は、前記電子メール受信用の第１のネットワーク接続部及び配信ファイル受信用の第２のネットワーク接続部を動作させるために、前記携帯情報端末本体の電源とは別個の暗電源を設け、
前記携帯情報端末本体の電源をＯＦＦとし、前記暗電源をＯＮとした場合であって、前記携帯情報端末がネットワーク側からの着信を受けた場合には、該携帯情報端末本体の電源がＯＮとなるように制御され、ＯＮとなった場合には、前記コマンドメール取得部が起動することを特徴とする請求項１から６のいずれか１項に記載の情報配信システム。
【請求項８】
前記コマンドメールサーバに代えて、文字情報からなるページャメッセージを格納するページャメッセージサーバを設け、
前記携帯情報端末において、前記コマンドメール取得部に代えて、前記格納されたページャメッセージを取得するためのページャメッセージ取得部を設け、
前記ページャメッセージ取得部は、前記ページャメッセージサーバに対して、ページャ網、及び／又は、無線ＬＡＮ、インターネット等のネットワークを介して一定時間毎にアクセスを行い、前記ページャメッセージが格納されていれば、該ページャメッセージを受信することを特徴とする請求項１から７のいずれか１項に記載の情報配信システム。
【請求項９】
情報配信者により携帯情報端末に配信される配信ファイルを格納する配信ファイル格納サーバと、
前記配信ファイルの配信対象である前記携帯情報端末を特定するためのコマンドを電子メールとして格納するためのコマンドメールサーバと、
前記情報配信者から配信される配信ファイルを閲覧するための携帯情報端末と、
を備えた情報配信システムの情報配信方法であって、
前記コマンドメールサーバが、前記携帯情報端末へ前記電子メールを送信する工程と、
前記携帯情報端末が、受信した前記電子メールのコマンド情報を基に、該電子メールが自分宛のものであると判断した場合は、前記配信ファイル格納サーバから前記コマンド情報により指定された配信ファイルを取得する配信ファイル取得工程と、
前記携帯情報端末が、該取得された配信ファイルの情報を出力する工程と、
を有することを特徴とする情報配信システムの情報配信方法。
【請求項１０】
前記携帯情報端末におけるネットワーク接続部が、無線ＬＡＮ、インターネット等のネットワークに接続するネットワーク接続工程と、
前記携帯情報端末におけるコマンドメール取得部が、前記コマンドメールサーバに対して、一定時間毎にアクセスを行い、前記電子メールが格納されていれば、該電子メールを受信するコマンドメール取得工程と、
前記携帯情報端末におけるコマンド解析部が、前記受信した電子メールの有するコマンドを解析し、コマンド情報に示される配信ファイルのアドレス情報を基に、指定された配信ファイルの取得要求をするコマンド解析工程と、
前記携帯情報端末における配信ファイル取得工程が、前記指定された配信ファイルの取得要求を受けて、前記配信ファイル格納サーバから、前記指定された配信ファイルをダウンロードする配信ファイル取得工程と、
前記携帯情報端末における配信ファイル実行形式選択部が、前記ダウンロードされた配信ファイルの拡張子を参照し、該拡張子に対応するアプリケーションプログラムを起動させ、該アプリケーションプログラムへ該配信ファイルを引き渡す配信ファイル実行形式選択工程と、
前記携帯情報端末における配信ファイル実行部が、前記アプリケーションプログラムに引き渡された配信ファイルを、前記アプリケーションプログラムにより実行する配信ファイル実行工程と、
前記携帯情報端末における表示制御部が、前記配信ファイル実行部により前記配信ファイルがアプリケーションプログラムにより実行された結果を基に、ディスプレイ上に表示すべき情報がある場合には、該ディスプレイ表示情報を表示器に表示するための制御を行う表示制御工程と、
前記携帯情報端末における前記表示器が前記表示制御部により制御され、前記該ディスプレイ表示情報を表示するディスプレイ表示情報表示工程と、
前記携帯情報端末における音声出力制御部が、前記配信ファイル実行部により前記配信ファイルがアプリケーションプログラムにより実行された結果を基に、音声として出力すべき情報がある場合には、該音声出力情報をスピーカ等の音声出力装置に出力するための音声出力制御工程と、
前記携帯情報端末におけるスピーカ等の音声出力装置が、音声出力制御部により制御され、前記音声出力情報を出力する音声出力情報出力工程と、
を有することを特徴とする請求項９記載の情報配信システムの情報配信方法。
【請求項１１】
前記電子メールの有するコマンドは、少なくとも配信ファイルのアドレス情報、配信ファイルの出力方法、及び、前記携帯情報端末を特定するためのパスワードに関する情報とからなるコマンド情報を有し、
前記携帯情報端末は、前記コマンド解析部より前記コマンドを解析し、該コマンドの有する前記パスワードと、自己に割り当てられたパスワードとを照合し、一致した場合は、前記電子メールが自分宛のものであると判断する工程を有することを特徴とする請求項９又は１０に記載の情報配信システムの情報配信方法。
【請求項１２】
前記表示器及び前記音声出力装置を有する外部出力装置を設け、前記外部出力装置を制御するための外部出力装置制御部を、前記携帯情報端末に設けた情報配信システムの情報配信方法であって、
前記携帯情報端末からのコマンド送信により、前記外部出力装置の制御を行う工程を有することを特徴とする請求項９から１１のいずれか１項に記載の情報配信システムの情報配信方法。
【請求項１３】
前記携帯情報端末に設けられた鳴動部が、前記配信ファイル取得部が起動すると同時に、前記スピーカ等の音声出力装置を鳴動させる工程を有することを特徴とする請求項９から１２のいずれか１項に記載の情報配信システムの情報配信方法。
【請求項１４】
前記携帯情報端末において、前記ネットワーク接続部の代わりに設けられた、電子メール受信用の第１のネットワーク接続部及び配信ファイル受信用の第２のネットワーク接続部のそれぞれが、前記ネットワークと接続を行う工程とを有することを特徴とする請求項９から１３のいずれか１項に記載の情報配信システムの情報配信方法。
【請求項１５】
前記携帯情報端末は、前記ネットワーク接続部、又は、前記電子メール受信用の第１のネットワーク接続部及び配信ファイル受信用の第２のネットワーク接続部を動作させるための、前記携帯情報端末本体の電源とは別個に設けられた暗電源を有する情報配信システムの情報配信方法であって、
前記携帯情報端末本体の電源をＯＦＦとし、前記暗電源をＯＮとした場合であって、前記携帯情報端末がネットワーク側からの着信を受けた場合には、該携帯情報端末本体の電源がＯＮとなるように制御され、ＯＮとなった場合には、前記コマンドメール取得部が起動する工程を有することを特徴とする請求項９から１４のいずれか１項に記載の情報配信システムの情報配信方法。
【請求項１６】
前記コマンドメールサーバに代えて、文字情報からなるページャメッセージを格納するページャメッセージサーバを設け、
前記携帯情報端末において、前記コマンドメール取得部に代えて、前記格納されたページャメッセージを取得するためのページャメッセージ取得部を設けた情報配信システムの情報配信方法であって、
前記ページャメッセージ取得部は、前記ページャメッセージサーバに対して、ページャ網、及び／又は、無線ＬＡＮ、インターネット等のネットワークを介して一定時間毎にアクセスを行い、前記ページャメッセージが格納されていれば、該ページャメッセージを受信する工程を有することを特徴とする請求項９から１５のいずれか１項に記載の情報配信システムの情報配信方法。
【発明の詳細な説明】
【技術分野】
【０００１】
本発明は、ユーザが能動的に情報を取得するのではなく、情報配信者がユーザにインターネットを利用して情報を提供する情報配信システム及びその情報配信方法に関する。
【背景技術】
【０００２】
店のショウウィンドウや電車内などに表示器を設置して、ニュースや店の広告などをスクロール表示させる表示システムがある。この表示システムは、このようなサービスを行うサービス会社と契約した店などに対して、電話回線などを利用して、サービス会社からニュースなどの共通のメッセージや個々の店の広告内容を送信して表示させるのが一般的である。
【０００３】
また、特許文献１には、ＦＭ文字放送によって提供されたハイパーメディア情報に関連する関連情報が利用者によって要求された場合には、ハイパーメディア情報の中からその情報に埋め込まれた電話番号情報を検出し、該情報により特定されるサーバに対して電話回線やＩＳＤＮなどの通信回線網を介して自動的に接続させ、放送信号によって提供される情報に関連する情報を必要に応じて入手することができる技術が開示されている。
【０００４】
また、ブラウザ機能内蔵型携帯電話、あるいは携帯型パソコン等を用いて、インターネットを利用してユーザが希望するリッチコンテンツの配信を受けることは一般的である。特許文献２には、複合商業施設などの案内情報を提供するために、スキャナによってＩＣチップから読み取ったチップＩＤを基に携帯電話のメールアドレスを特定し、コンテンツを配信する技術が開示されている。
【０００５】
ところで、例えば、鉄道会社の駅職員、空港に配置される航空会社の空港職員等の業務内容は、電車又は航空機等の円滑な運行を目的とし、絶えず流動的に変化する顧客に対応しつつ常に変化するものである。特に、その日の顧客状況や事故の発生等に対して適切に対応するため、職員は、職員同士又は業務管理者と緻密に連絡をとりながら、協議をしつつ指示を受け、業務を遂行する必要がある。
【０００６】
従来、駅構内又は空港内に配属される職員に対する業務内容の指示は、例えば、構内アナウンスによるか、職員が携帯している無線機によるか、あるいは、わざわざ職員が業務管理者の所在する場所まで出向くことにより行われている。
【特許文献１】特開平９−８１４４７号公報
【特許文献２】特開２００３−２３３６１９号公報
【発明の開示】
【発明が解決しようとする課題】
【０００７】
しかし、上述したように、駅構内又は空港内に配属される職員に対する業務内容の指示は、例えば、構内アナウンスによるか、職員が携帯している無線機によるか、あるいはわざわざ職員が業務管理者の所在する場所まで出向くことにより行われている。このため、業務内容の指示が常に職員全員に確実に伝達されるとは限らず、また、アナウンスや無線機による指示では、業務内容の詳細な指示を伝達するのには限界がある。更には、業務内容の指示を受けるために職員がわざわざ業務管理者の所在する場所まで出向くことは、無駄に移動時間を要し、業務効率が悪い等の問題点があった。
【０００８】
また、上述したように、ブラウザ機能内蔵型携帯電話、あるいは携帯型パソコン等を用いて、インターネットを介してユーザが希望するリッチコンテンツの配信を受けることは一般的であるが、ユーザはコンテンツを閲覧するに際して、複雑なキー操作を行う必要がある。しかしながら、コンテンツの閲覧を希望するユーザ全てが、携帯電話又はパソコン等の操作に精通しているわけではない。そのため、携帯電話又はパソコン等の操作に関する知識に乏しいユーザにとっては、既存の携帯電話またはパソコン等を用いて、希望するコンテンツを閲覧することは困難であるという問題があった。また、パソコン等の操作のできるユーザであっても、接客業務に追われ、複雑な操作を嫌って、閲覧すべき重要な情報を見逃してしまったり、気付かなかったりするという問題もあった。
【０００９】
本発明は、上記のような問題点に鑑み、ユーザが携帯する携帯情報端末において、情報配信者からコンテンツを半強制的に送信し、該コンテンツがユーザの携帯情報端末に送信されたことを警告音等の告知手段を用いてユーザに了知させると共に、該コンテンツを携帯情報端末の画面上に自動的に表示させることにより、特にコンテンツの閲覧のためにユーザが複雑な操作をする必要がなく、情報配信者からユーザに対して詳細な情報を確実且つ効率的に伝達することを可能とした情報配信システム及びその情報配信方法を提供することを目的とする。
【課題を解決するための手段】
【００１０】
請求項１記載の発明は、情報配信者により携帯情報端末に配信される配信ファイルを格納する配信ファイル格納サーバと、前記配信ファイルの配信対象である前記携帯情報端末を特定するためのコマンドを電子メールとして格納するためのコマンドメールサーバと、前記情報配信者から配信される配信ファイルを閲覧するための携帯情報端末とを備えた情報配信システムであって、前記コマンドメールサーバは、前記携帯情報端末へ前記電子メールを送信し、前記携帯情報端末は、受信した前記電子メールのコマンド情報を基に、該電子メールが自分宛のものであると判断した場合は、前記配信ファイル格納サーバから前記コマンド情報により指定された配信ファイルを取得し、該取得された配信ファイルの情報を出力する情報配信システムとしたことを特徴とする。
【００１１】
請求項２記載の発明は、前記携帯情報端末は、前記携帯情報端末を無線ＬＡＮ、インターネット等のネットワークに接続するネットワーク接続部と、前記コマンドメールサーバに対して、一定時間毎にアクセスを行い、前記電子メールが格納されていれば、該電子メールを受信するコマンドメール取得部と、前記受信した電子メールの有するコマンドを解析し、コマンド情報に示される配信ファイルのアドレス情報を基に、指定された配信ファイルの取得要求をするコマンド解析部と、前記指定された配信ファイルの取得要求を受けて、前記配信ファイル格納サーバから、前記指定された配信ファイルをダウンロードする配信ファイル取得部と、前記ダウンロードされた配信ファイルの拡張子を参照し、該拡張子に対応するアプリケーションプログラムを起動させ、該アプリケーションプログラムへ該配信ファイルを引き渡す配信ファイル実行形式選択部と、前記アプリケーションプログラムに引き渡された配信ファイルを、前記アプリケーションプログラムにより実行する配信ファイル実行部と、前記配信ファイル実行部により前記配信ファイルがアプリケーションプログラムにより実行された結果を基に、ディスプレイ上に表示すべき情報がある場合には、該ディスプレイ表示情報を表示器に表示するための制御を行う表示制御部と、前記表示制御部により制御され、前記該ディスプレイ表示情報を表示する表示器と、前記配信ファイル実行部により前記配信ファイルがアプリケーションプログラムにより実行された結果を基に、音声として出力すべき情報がある場合には、該音声出力情報をスピーカ等の音声出力装置に出力するための音声出力制御部と、前記音声出力制御部により制御され、前記音声出力情報を出力するスピーカ等の音声出力装置とを備えた請求項１記載の情報配信システムとしたことを特徴とする。
【００１２】
請求項３記載の発明は、前記電子メールの有するコマンドは、少なくとも配信ファイルのアドレス情報、配信ファイルの出力方法、及び、前記携帯情報端末を特定するためのパスワードに関する情報とからなるコマンド情報を有し、前記携帯情報端末は、前記コマンド解析部より前記コマンドを解析し、該コマンドの有する前記パスワードと、自己に割り当てられたパスワードとを照合し、一致した場合は、前記電子メールが自分宛のものであると判断する請求項１又は２に記載の情報配信システムとしたことを特徴とする。
【００１３】
請求項４記載の発明は、前記表示器及び前記音声出力装置を有する外部出力装置を設け、前記外部出力装置を制御するための外部出力装置制御部を、前記携帯情報端末に設け、前記携帯情報端末からのコマンド送信により、前記外部出力装置の制御を行う請求項１から３のいずれか１項に記載の情報配信システムとしたことを特徴とする。
【００１４】
請求項５記載の発明は、前記携帯情報端末において、前記配信ファイル実行部が起動すると同時に、前記スピーカ等の音声出力装置を鳴動させるための鳴動部を設けた請求項１から４のいずれか１項に記載の情報配信システムとしたことを特徴とする。
【００１５】
請求項６記載の発明は、前記携帯情報端末において、前記ネットワーク接続部の代わりに、前記電子メール受信用の第１のネットワーク接続部と、配信ファイル受信用の第２のネットワーク接続部とを設けた請求項１から５のいずれか１項に記載の情報配信システムとしたことを特徴とする。
【００１６】
請求項７記載の発明は、前記携帯情報端末において、前記ネットワーク接続部、又は、前記電子メール受信用の第１のネットワーク接続部及び配信ファイル受信用の第２のネットワーク接続部を動作させるために、前記携帯情報端末本体の電源とは別個の暗電源を設け、前記携帯情報端末本体の電源をＯＦＦとし、前記暗電源をＯＮとした場合であって、前記携帯情報端末がネットワーク側からの着信を受けた場合には、該携帯情報端末本体の電源がＯＮとなるように制御され、ＯＮとなった場合には、前記コマンドメール取得部が起動する請求項１から６のいずれか１項に記載の情報配信システムとしたことを特徴とする。
【００１７】
請求項８記載の発明は、前記コマンドメールサーバに代えて、文字情報からなるページャメッセージを格納するページャメッセージサーバを設け、前記携帯情報端末において、前記コマンドメール取得部に代えて、前記格納されたページャメッセージを取得するためのページャメッセージ取得部を設け、前記ページャメッセージ取得部は、前記ページャメッセージサーバに対して、ページャ網、及び／又は、無線ＬＡＮ、インターネット等のネットワークを介して一定時間毎にアクセスを行い、前記ページャメッセージが格納されていれば、該ページャメッセージを受信する請求項１から７のいずれか１項に記載の情報配信システムとしたことを特徴とする。
【００１８】
請求項９記載の発明は、情報配信者により携帯情報端末に配信される配信ファイルを格納する配信ファイル格納サーバと、前記配信ファイルの配信対象である前記携帯情報端末を特定するためのコマンドを電子メールとして格納するためのコマンドメールサーバと、前記情報配信者から配信される配信ファイルを閲覧するための携帯情報端末とを備えた情報配信システムの情報配信方法であって、前記コマンドメールサーバが、前記携帯情報端末へ前記電子メールを送信する工程と、前記携帯情報端末が、受信した前記電子メールのコマンド情報を基に、該電子メールが自分宛のものであると判断した場合は、前記配信ファイル格納サーバから前記コマンド情報により指定された配信ファイルを取得する配信ファイル取得工程と、前記携帯情報端末が、該取得された配信ファイルの情報を出力する工程とを有する情報配信システムの情報配信方法としたことを特徴とする。
【００１９】
請求項１０記載の発明は、前記携帯情報端末におけるネットワーク接続部が、無線ＬＡＮ、インターネット等のネットワークに接続するネットワーク接続工程と、前記携帯情報端末におけるコマンドメール取得部が、前記コマンドメールサーバに対して、一定時間毎にアクセスを行い、前記電子メールが格納されていれば、該電子メールを受信するコマンドメール取得工程と、前記携帯情報端末におけるコマンド解析部が、前記受信した電子メールの有するコマンドを解析し、コマンド情報に示される配信ファイルのアドレス情報を基に、指定された配信ファイルの取得要求をするコマンド解析工程と、前記携帯情報端末における配信ファイル取得工程が、前記指定された配信ファイルの取得要求を受けて、前記配信ファイル格納サーバから、前記指定された配信ファイルをダウンロードする配信ファイル取得工程と、前記携帯情報端末における配信ファイル実行形式選択部が、前記ダウンロードされた配信ファイルの拡張子を参照し、該拡張子に対応するアプリケーションプログラムを起動させ、該アプリケーションプログラムへ該配信ファイルを引き渡す配信ファイル実行形式選択工程と、前記携帯情報端末における配信ファイル実行部が、前記アプリケーションプログラムに引き渡された配信ファイルを、前記アプリケーションプログラムにより実行する配信ファイル実行工程と、前記携帯情報端末における表示制御部が、前記配信ファイル実行部により前記配信ファイルがアプリケーションプログラムにより実行された結果を基に、ディスプレイ上に表示すべき情報がある場合には、該ディスプレイ表示情報を表示器に表示するための制御を行う表示制御工程と、前記携帯情報端末における前記表示器が前記表示制御部により制御され、前記該ディスプレイ表示情報を表示するディスプレイ表示情報表示工程と、前記携帯情報端末における音声出力制御部が、前記配信ファイル実行部により前記配信ファイルがアプリケーションプログラムにより実行された結果を基に、音声として出力すべき情報がある場合には、該音声出力情報をスピーカ等の音声出力装置に出力するための音声出力制御工程と、前記携帯情報端末におけるスピーカ等の音声出力装置が、音声出力制御部により制御され、前記音声出力情報を出力する音声出力情報出力工程とを有する請求項９記載の情報配信システムの情報配信方法としたことを特徴とする。
【００２０】
請求項１１記載の発明は、前記電子メールの有するコマンドは、少なくとも配信ファイルのアドレス情報、配信ファイルの出力方法、及び、前記携帯情報端末を特定するためのパスワードに関する情報とからなるコマンド情報を有し、前記携帯情報端末は、前記コマンド解析部より前記コマンドを解析し、該コマンドの有する前記パスワードと、自己に割り当てられたパスワードとを照合し、一致した場合は、前記電子メールが自分宛のものであると判断する工程を有する請求項９又は１０に記載の情報配信システムの情報配信方法としたことを特徴とする。
【００２１】
請求項１２記載の発明は、前記表示器及び前記音声出力装置を有する外部出力装置を設け、前記外部出力装置を制御するための外部出力装置制御部を、前記携帯情報端末に設けた情報配信システムの情報配信方法であって、前記携帯情報端末からのコマンド送信により、前記外部出力装置の制御を行う工程を有する請求項９から１１のいずれか１項に記載の情報配信システムの情報配信方法としたことを特徴とする。
【００２２】
請求項１３記載の発明は、前記携帯情報端末に設けられた鳴動部が、前記配信ファイル取得部が起動すると同時に、前記スピーカ等の音声出力装置を鳴動させる工程を有する請求項９から１２のいずれか１項に記載の情報配信システムの情報配信方法としたことを特徴とする。
【００２３】
請求項１４記載の発明は、前記携帯情報端末において、前記ネットワーク接続部の代わりに設けられた、電子メール受信用の第１のネットワーク接続部及び配信ファイル受信用の第２のネットワーク接続部のそれぞれが、前記ネットワークと接続を行う工程とを有する請求項９から１３のいずれか１項に記載の情報配信システムの情報配信方法としたことを特徴とする。
【００２４】
請求項１５記載の発明は、前記携帯情報端末は、前記ネットワーク接続部、又は、前記電子メール受信用の第１のネットワーク接続部及び配信ファイル受信用の第２のネットワーク接続部を動作させるための、前記携帯情報端末本体の電源とは別個に設けられた暗電源を有する情報配信システムの情報配信方法であって、前記携帯情報端末本体の電源をＯＦＦとし、前記暗電源をＯＮとした場合であって、前記携帯情報端末がネットワーク側からの着信を受けた場合には、該携帯情報端末本体の電源がＯＮとなるように制御され、ＯＮとなった場合には、前記コマンドメール取得部が起動する工程を有する請求項９から１４のいずれか１項に記載の情報配信システムの情報配信方法としたことを特徴とする。
【００２５】
請求項１６記載の発明は、前記コマンドメールサーバに代えて、文字情報からなるページャメッセージを格納するページャメッセージサーバを設け、前記携帯情報端末において、前記コマンドメール取得部に代えて、前記格納されたページャメッセージを取得するためのページャメッセージ取得部を設けた情報配信システムの情報配信方法であって、前記ページャメッセージ取得部は、前記ページャメッセージサーバに対して、ページャ網、及び／又は、無線ＬＡＮ、インターネット等のネットワークを介して一定時間毎にアクセスを行い、前記ページャメッセージが格納されていれば、該ページャメッセージを受信する工程を有する請求項９から１５のいずれか１項に記載の情報配信システムの情報配信方法としたことを特徴とする。
【発明の効果】
【００２６】
本発明によれば、ユーザが携帯する携帯情報端末において、情報配信者からコンテンツを半強制的に送信し、該コンテンツがユーザの携帯情報端末に送信されたことを警告音等の告知手段を用いてユーザに了知させると共に、該コンテンツを携帯情報端末の画面上に自動的に表示させることにより、特にコンテンツの閲覧のためにユーザが複雑な操作をする必要がなく、情報配信者からユーザに対して詳細な情報を確実且つ効率的に伝達することができる。
【発明を実施するための最良の形態】
【００２７】
本発明を実施するための最良の形態は、情報配信者により携帯情報端末に配信される配信ファイルを格納する配信ファイル格納サーバと、前記配信ファイルの配信対象である前記携帯情報端末を特定するためのコマンドを電子メールとして格納するためのコマンドメールサーバと、前記情報配信者から配信される配信ファイルを閲覧するための携帯情報端末とを設け、前記コマンドメールサーバは、前記携帯情報端末へ前記電子メールを送信し、前記携帯情報端末は、受信した前記電子メールのコマンド情報を基に、該電子メールが自分宛のものであると判断した場合は、前記配信ファイル格納サーバから前記コマンド情報により指定された配信ファイルを取得し、該取得された配信ファイルの情報を出力するように情報配信システムを構成する。
【００２８】
以下に、本発明の好適な実施形態を添付図面に基づいて詳細に説明する。尚、以下に述べる実施形態は本発明の好適な具体例であるから、技術的に好ましい種々の限定が付されているが、本発明の範囲は、以下の説明において特に本発明を限定する旨の記載がない限り、これらの実施形態に限られるものではない。
【００２９】
（第１の実施形態）
まず、図１を用いて、本実施形態の情報配信システムの構成及びその機能について説明する。図１は、本実施形態の情報配信システムの構成ブロック図である。
図１に示すように、本実施形態の情報配信システムは、携帯情報端末９、コマンドメールサーバ１０、コマンド送信端末Ｔ１、及び、配信ファイル格納サーバ１１を備え、これら各装置はインターネット等のネットワークＮ１を介して接続される。
携帯情報端末９は、ネットワーク接続部１、コマンドメール取得部２、コマンド解析部３、配信ファイル取得部４、配信ファイル実行形式選択部５、配信ファイル実行部６、表示制御部７、音声出力制御部８、表示器Ｄ１、及び、スピーカＳ１を備えている。
【００３０】
ネットワーク接続部１は、無線ＬＡＮや携帯電話網などの無線ネットワーク、特にＩＰ（internet protocol）が用いられるネットワークＮ１との接続処理を行う。
コマンドメール取得部２は、一定時間ごとにコマンドメールサーバ１０に対してアクセスを行い、コマンドメールを受信して、コマンドメール本文に含まれているコマンドを取得する処理を行う。
コマンド解析部３は、取得されたコマンドのパスワードの照合を行い、パスワードが正しい場合はそのコマンドの指示内容に従い所定の処理を行う。
配信ファイル取得部４は、コマンド解析部３からの指示により、指定されたアドレス情報から指定された配信ファイルのダウンロード処理を行う。
【００３１】
配信ファイル実行形式選択部５は、ダウンロードしたファイルの拡張子を参照し、その拡張子の示すアプリケーションプログラムへ前記配信ファイルを引き渡す処理を行う。
配信ファイル実行部６は、あらかじめ携帯情報端末９に搭載されたアプリケーションプログラムによりダウンロードした配信ファイルの実行処理を行う。
表示制御部７は、配信ファイル実行部６にて実行された結果を、表示器Ｄ１に出力するための表示出力制御を行う。
【００３２】
音声出力制御部８は、配信ファイル実行部６にて実行された結果、音声出力されるものがあれば、スピーカＳ１に音声出力するための音声出力制御を行う。
コマンド送信端末Ｔ１は、携帯情報端末９のメールアドレス宛にコマンドメールを送信することを目的として、情報配信者のコマンドの入力操作に用いられ、また、該入力されたコマンドをコマンドメールとして、コマンドメールサーバ１０へ送信する。
【００３３】
次に、図１、図２、図３を用いて、本実施形態の情報配信システムの動作内容について説明する。図３は、本実施形態の情報配信システムの動作内容について示したフローチャートである。
なお、以下に説明する本実施形態の情報配信システムの動作内容についての説明の前提として、あらかじめ配信ファイル格納サーバ１１には、携帯情報端末９へ配信する配信ファイルが格納されており、コマンド送信端末Ｔ１からコマンドメールサーバ１０に送信されたコマンドメールは、携帯情報端末９のメールアドレスを基に、携帯情報端末９に送信されるものとする。
【００３４】
まず、図３に示すように、携帯情報端末９に設けられた（図示しない）タイマーにより計測されている一定の時間間隔毎に（ステップ１０１のＹＥＳ）、前記コマンドメール取得部２は、コマンドメールサーバ１０へアクセスして、コマンドメールサーバ１０に対してコマンドメール取得要求情報を送信する（ステップ１０２）。このコマンドメール取得要求情報を受信したコマンドメールサーバ１０は、前記携帯情報端末９に対してコマンドメールを転送する（ステップ１０３）。続いて、前記携帯情報端末９は、メール受信動作によりコマンドメールを受信すると、前記コマンド解析部３は、コマンドメールの解析処理を行なう（ステップ１０４）。
【００３５】
ここで、図２を用いて、図１に示すコマンド送信端末Ｔ１から携帯情報端末９に対して送信されるコマンドメールのコマンドフォーマットについて説明する。図２は、本実施形態におけるコマンド送信端末Ｔ１から携帯情報端末９に対して送信されるコマンドメールのコマンドフォーマットの１例を示した図である。
【００３６】
図２に示すように、本実施形態におけるコマンドメールのコマンドフォーマットは、上位オクテット順に、コマンド種別Ｃ１、パスワードＣ２、パラメータＣ３とから構成される。そして、パラメータＣ３には、携帯情報端末９に対して配信するファイルのアドレス情報や、表示方法に関する情報等などが配される。
【００３７】
続いて、前記コマンド解析部３は、取得されたコマンドメールのパスワードＣ２の照合を行い、パスワードＣ２が正しい場合は、そのコマンドメールのコマンドＣ１の指示内容に従い所定の各処理を行うと共に、パラメータＣ３に含まれている配信ファイルのアドレス情報を基に、配信ファイル格納サーバ１１へアクセスして、配信を希望する配信ファイルの取得要求情報を該配信ファイル格納サーバ１１に対して送信する（ステップ１０５）。この配信ファイル取得要求情報を受信した配信ファイル格納サーバ１１は、携帯情報端末９に対して、配信するべきファイルを転送する（ステップ１０６）。なお、コマンド解析部３は、取得されたコマンドメールのパスワードＣ２の照合を行い、パスワードＣ２が正しくない場合は、受信したコマンドメールを破棄し、ステップ１０５における配信ファイル格納サーバ１１に対する配信ファイル取得要求情報の送信を行わない。
【００３８】
次に、配信ファイル実行形式選択部５は、ステップ１０６により配信ファイル格納サーバ１１から携帯情報端末９にダウンロードされた配信ファイルの拡張子を参照し、配信ファイルの実行形式の選択を行い、適切なアプリケーションプログラムへ、該配信ファイルを引き渡す（ステップ１０７）。続いて、配信ファイル実行部６では、前記配信ファイルに対して、アプリケーションプログラムを実行する（ステップ１０８）。そして、前記アプリケーションプログラムを実行した結果、表示出力する情報がある場合は、表示制御部７により表示出力制御が行われ、所定の情報が表示器Ｄ１により表示される。また、音声出力する情報がある場合は、音声出力制御部８において音声出力制御が行われ、所定の情報がスピーカから音声として出力される。
【００３９】
以上説明した本実施形態の情報配信システムによれば、携帯情報端末を携帯する特定の個別又は複数のユーザに対して、携帯情報端末（ＰＤＡ：Personal Digital Assistant）の複雑な操作を要求することなく、半強制的に音声や画像を含む詳細な情報を配信することが可能となる。特に、現場の作業員が携帯する携帯情報端末に対して、無線回線を利用して詳細な情報（リッチコンテンツ）を配信することにより、現場の作業員は、携帯情報端末の操作を一切しなくとも、作業指示内容の詳細な情報（図面等）を閲覧することが可能となる。
【００４０】
（第２の実施形態）
図４を用いて、本実施形態における情報配信システムの構成及びその動作について説明する。図４は、本実施形態の情報配信システムの構成ブロック図である。本実施形態では、第１の実施形態の構成に加えて、更に、ウェイクアップ起動部１２、暗電源１３、本体電源供給制御部１４、暗電源供給部１５、本体電源供給部１６、ウェイクアップサービスセンター１７を備えていることを特徴とする。
【００４１】
ウェイクアップサービスセンター１７は、通信事業者等が提供するサービスセンターである。本実施形態においては、ユーザと該ウェイクアップサービスセンター１７との間で、予めサービス授受の契約がなされているものとする。
また、暗電源１３により、暗電源供給部１５内のネットワーク接続部１とウェイクアップ起動部１２は、携帯情報端末９の本体電源供給部１６とは別電源系統となっており、常時電源が供給された状態にある。
【００４２】
以下に、図４を用いて、ウェイクアップによるコマンドメール取得動作について説明する。なお、予め配信ファイル格納サーバ１１には、携帯情報端末９へ配信するファイルが格納されているものとする。
まず、携帯情報端末９の本体電源がＯＦＦのとき、コマンドメールサーバ１０から、携帯情報端末９のメールアドレスへ対してコマンドメールを送信すると同時に、ウェイクアップサービスセンター１７に対して携帯情報端末９のウェイクアップ要求情報が送信されると、ウェイクアップサービスセンター１７は、携帯情報端末９へ対してウェイクアップ起動シーケンスを実行する。すると、ウェイクアップ起動部１２は、本体電源供給制御部１４に対して、本体の電源をＯＮにするよう指示を出す。すると、本体電源供給制御部１４は、本体電源供給部１６に電源を供給する。
【００４３】
次に、コマンドメール取得部２は、本体電源供給部１６に電源が供給されると、自動的にコマンドメールサーバ１０へアクセスして、メール取得処理を行う。
コマンドメール取得部２のメール取得処理の結果、携帯情報端末９は、コマンドメールを受信するとコマンドメールの解析処理を行い、それ以降は、第１の実施形態で既に説明したのと同様の動作を行う。
【００４４】
以上説明した本実施形態によれば、ユーザが携帯情報端末９の電源を入れ忘れており、情報配信時において携帯情報端末９の電源が入っていない場合でも、自動的に電源がＯＮとされ、配信ファイルによる情報配信が可能となる。よって、ユーザに確実に情報を伝達することが可能となる。
【００４５】
（第３の実施形態）
図５を用いて、本実施形態の情報配信システムの構成及びその動作について以下に説明する。なお、第１の実施形態で既に説明したのと同様の動作については説明を省略する。図５は、本実施形態の情報配信システムの構成ブロック図である。本実施形態では、第１の実施形態の構成に加えて、更に、鳴動部１８を備えていることを特徴とする。
【００４６】
図５に示すように、配信ファイル格納サーバ１１からダウンロードした配信ファイルが実行されたとき、配信ファイル実行部６は、鳴動部１８に対して、配信ファイルが実行された旨を鳴音するよう指示を出す。この配信ファイル実行部６からの指示により、鳴動部１８は、音声出力制御部８へ対して、配信ファイルの着信及び出力がなされることをユーザに告知することを目的として、スピーカＳ１から鳴音する制御を行うように指示をする。続いて、音声出力制御部８は、鳴動部１８からの指示により、スピーカＳ１を制御して、鳴音させる。
【００４７】
（第４の実施形態）
図６を用いて、本実施形態の情報配信システムについて以下に説明する。なお、第１の実施形態で既に説明したのと同様の動作については説明を省略する。図６は、本実施形態の情報配信システムの構成ブロック図である。図６に示すように、本実施形態は、第１の実施形態の構成において、ネットワーク接続部１の代わりに、ネットワーク接続部（コマンドメール用）１０１、ネットワーク接続部（配信ファイル用）１０２とを備えていることを特徴とする。ネットワーク接続部１０１は、コマンドメール受信専用で、ネットワーク接続部１０２は、配信ファイルダウンロード専用とした。
【００４８】
ところで、コマンドメールの受信データ量はごく少量であり、一定時間周期でコマンドメールの配信状態を監視する情報配信システムにおいては、コマンドメールの受信回数を多くすることで、よりリアルタイム性が向上する。よって、コマンドメールの受信には、データ通信速度よりも常時接続型で低額料金で済むような低速データ通信回線の利用が好ましい。よって、このような通信回線を、上述のコマンドメール受信用であるネットワーク接続部１０１に接続して利用するのが適当である。
【００４９】
一方、上述の配信ファイルのようなデータ量が多量の場合は、より高速な通信回線を必要とするので、このような通信回線は、上述の配信ファイル受信用であるネットワーク接続部１０２に接続して利用することが適当である。
【００５０】
よって、以上説明した本実施形態によれば、コマンドメール受信用の通信回線と、配信ファイル受信用の通信回線を分けることにより、データ量が少なく、接続頻度の多いコマンドメール受信用の通信回線として、低速の常時接続型パケット通信を利用することが可能となる。また、データ量が多く、接続頻度の少ない配信ファイル用の通信回線として、回線交換型の高速データ通信を利用することが可能となる。よって、利用目的に応じた通信回線を選択することにより、通信コストを下げ、効率的な情報配信システムの運用ができるという効果を得ることができる。
【００５１】
（第５の実施形態）
図７を用いて、本実施形態の情報配信システムについて以下に説明する。なお、第１の実施形態で既に説明したのと同様の動作については説明を省略する。図７は、本実施形態の情報配信システムの構成ブロック図である。図７に示すように、本実施形態は、第１の実施形態の構成に、外部出力装置制御部１９を加え、更に、表示器Ｄ１とスピーカＳ１を、携帯情報端末９とは別の外部出力装置２０として構成したことを特徴とする。図７に示す外部出力装置制御部１９により、外部出力装置２０に設けられた表示器Ｄ１とスピーカＳ１が制御される。
【００５２】
以上説明した本実施形態によれば、携帯情報端末９を携帯しない職員であっても、現場において別途設けられた大型ディスプレイによって、配信されたリッチコンテンツ等による詳細情報を容易に確認することが可能となる。また、別途設けられたスピーカからある程度大音量で音声を出力することによって、職員に情報配信を気付かせ、配信情報の告知と伝達を確実にすることが可能となる。
【００５３】
（第６の実施形態）
図８を用いて、本実施形態の情報配信システムについて説明する。なお、第１の実施形態で既に説明したのと同様の動作については説明を省略する。図８は、本実施形態の情報配信システムの構成ブロック図である。図８に示すように、本実施形態は、第１の実施形態の構成において、コマンドメールサーバ１０に代えて、ページャメッセージサーバ２２を設け、また、携帯情報端末９に、図１に示すコマンドメール取得部２に代えて、ページャメッセージ取得部２１を加えた構成としたことを特徴とする。図７に示すように、本実施形態の情報配信システムは、コマンド送信端末Ｔ１から入力されたコマンドの内容を、文字情報であるページャメッセージとして、ページャ網Ｎ２を利用して送信する通信形態とした。
【図面の簡単な説明】
【００５４】
【図１】本発明を適用した第１の実施形態における情報配信システムの構成ブロック図である。
【図２】本実施形態におけるコマンドメールを説明するための図である。
【図３】本発明を適用した第１の実施形態における情報配信システムの動作について示したフローチャートである。
【図４】本発明を適用した第２の実施形態における情報配信システムの構成ブロック図である。
【図５】本発明を適用した第３の実施形態における情報配信システムの構成ブロック図である。
【図６】本発明を適用した第４の実施形態における情報配信システムの構成ブロック図である。
【図７】本発明を適用した第５の実施形態における情報配信システムの構成ブロック図である。
【図８】本発明を適用した第６の実施形態における情報配信システムの構成ブロック図である。
【符号の説明】
【００５５】
１    ネットワーク接続部
２    コマンドメール取得部
３    コマンド解析部
４    情報ファイル取得部
５    ファイル実行形式選択部
６    ファイル実行部
７    表示制御部
８    音声出力制御部
９    情報携帯端末
１０    メールサーバ
１１    情報格納サーバ
１２    ウェイクアップ起動部
１３    暗電源
１４    本体電源供給制御部
１５    暗電源供給部
１６    本体電源供給部
１７    ウェイクアップサービスセンター
１８    鳴動部
１９    外部出力装置制御部
２０    外部出力装置
２１    ページャメッセージ取得部
２２    ページャメッセージ格納サーバ
１０１    ネットワーク接続部（コマンドメール用）
１０２    ネットワーク接続部（配信ファイル用）
Ｎ１    ネットワーク
Ｎ２    ページャ網
Ｔ１    コマンド送信端末
Ｄ１    表示器
Ｓ１    スピーカ
【図１】
2006040234.tif 000003
【図２】
2006040234.tif 000004
【図３】
2006040234.tif 000005
【図４】
2006040234.tif 000006
【図５】
2006040234.tif 000007
【図６】
2006040234.tif 000008
【図７】
2006040234.tif 000009
【図８】
2006040234.tif 000010